(57)【要約】【課題】載置状態で転倒しにくい筒状収容具を提供する。【解決手段】開口部５および底部６を有し被収容物２を収容可能な筒状の収容部３と、この収容部３の開口部５を閉塞可能な蓋部４とを具備する。収容部３の底部６に、載置対象物に載置される載置部８を設ける。載置部８は、載置対象物に載置された状態を保持する保持部材１６を有する。そして、載置部８が、載置対象物に載置された状態を保持する保持部材１６を有するため、持ち運びやすい細長形状であっても、載置状態で転倒しにくくできる。【選択図】図１
2020110306.tif 000002
【特許請求の範囲】
【請求項１】
開口部および底部を有し被収容物を収容可能な筒状の収容部と、この収容部の前記開口部を閉塞可能な蓋部とを具備する筒状収容具において、
前記収容部の底部には、載置対象物に載置される載置部が設けられ、
前記載置部は、前記載置対象物に載置された状態を保持する保持部材を有する
ことを特徴とする筒状収容具。
【請求項２】
保持部材は、載置対象物に対して離脱可能に接着する
ことを特徴とする請求項１記載の筒状収容具。
【請求項３】
載置部は、収容部の底部に接続された接続部と、この接続部に接続され可撓性を有する可撓部と、前記接続部に対して前記可撓部を介して相対的に変位可能に接続され保持部材が取り付けられた基部とを有する
ことを特徴とする請求項１または２記載の筒状収容具。
【請求項４】
載置部は、可撓部のトルクを調整するためのトルク調整部を有する
ことを特徴とする請求項３記載の筒状収容具。
【請求項５】
接続部は、基部に対して変位可能に接続された中板部と、この中板部に一体に設けられ収容部の底部に固定して取り付けられた取付部とを有し、
前記中板部は、嵌合孔を有し、
前記基部は、嵌合孔内に移動可能に嵌挿された柱部と、その柱部が前記嵌合孔内に嵌挿された状態にて前記中板部との間で可撓部を保持するための可撓部保持部とを有する
ことを特徴とする請求項３または４記載の筒状収容具。
【請求項６】
載置部は、可撓部保持部と中板部との間の距離を調整する位置調整部を有する
ことを特徴とする請求項５記載の筒状収容具。
【請求項７】
保持部材は、自己吸着性を有する
ことを特徴とする請求項１ないし６いずれか一記載の筒状収容具。
【発明の詳細な説明】
【技術分野】
【０００１】
本発明は、被収容物を収容した状態で載置可能な筒状収容具に関する。
【背景技術】
【０００２】
被収容物としての筆記具を収容する例えばペンケース等の収容具において、筆記具を収容して持ち運ぶのに好適なサイズでありながら、その収容具を机等に起立するように載置可能であるとともに、その載置した状態において収容物である筆記具を立たせるペンスタンドとしての機能を奏するものが知られている。
【０００３】
一般的にこのような収容具では、机等に起立させて載置した起立状態において、その机等に接する面である底部の面積に対して、その底部の接触面と直交する側部の面積が遥かに大きく、換言すると、起立状態での収容具の高さに対して底部の接触面の面積が著しく小さく設計されている。そのため、起立状態の収容具から筆記具を取り出す際には、筆記具を取り出す振動や衝撃等によって収容具が倒れやすかった。
【０００４】
この種の収容具としては、例えば、特許文献１には、本体部と蓋部とを構成するように２つの円筒状部材にて構成されるペンシルケースであって、本体部の底部を構成する面に対向する端部およびその近傍が、蓋部の一端部にある開口部内に嵌合することで、内部空間が閉塞される円筒キャップ式のペンシルケースが記載されている。
【０００５】
特許文献２には、本体部の底部を構成する面に対向する端部と、蓋部の一端部とに線ファスナが縫いつけられ、本体部側の線ファスナ部材と、蓋部側の線ファスナ部材とを係合することで、内部空間が閉塞されるペンケースが記載されている。また、特許文献２には、そのペンケースを机等に起立させて載置する際に、持ち運び状態等と比べて底部の面積が広い状態となるように変形可能な構成が記載されている。
【０００６】
特許文献３には、収容部およびカバー部の２つの円筒状物を備えるペンケースであって、収容部には開口部およびその近傍に螺旋状の隆起線で構成された螺合部が設けられ、カバー部には一端部に螺合部と螺合可能な螺旋状の隆起線で構成された被螺合部が設けられている。そして、これら螺合部と被螺合部とが螺子（スクリュー）構造であるため、それぞれの隆起線が接した状態で、円筒状の収容部とカバー部とを相対的に回転させることにより、徐々に両者が締め付けられて螺合されるように構成されている。
【先行技術文献】
【特許文献】
【０００７】
【特許文献１】実開昭４８−３６９２８号公報
【特許文献２】特開２０１８−１１８１３９号公報
【特許文献３】登録実用新案第３２１２２４３号公報
【発明の概要】
【発明が解決しようとする課題】
【０００８】
上述の特許文献１および特許文献３に記載のペンケースは、いずれも、底部の面積に対して側面の面積が遥かに大きいが、筆記具を収容して机等に起立させて載置した状態において転倒を防止する構造が設けられていない。また、特許文献２に記載のペンケースの底部の構造は、載置状態の安定性を向上できる可能性はあるが、載置状態での転倒を効果的に防止できるものではない。
【０００９】
一方、載置状態での転倒を防止するために、底部の面積を側面の面積に近い程度の大きさにすることが考えられるが、側部は収容対象物である筆記具の長さに対応した高さ（一端部である底部から他端部までの距離）を要するため、底部の面積と側部の面積とが近い構成にするには、底部の面積を大きくしなくてはならない。したがって、収容された筆記具が起立状態で載置されたペンケース内で倒れやすくなり、ペンケースに筆記具を立てておくことが難しくなるとともに、ペンケースの大きさが大きくなり、持ち運びに不便である。
【００１０】
つまり、筆記具を収容して持ち運ぶのに好適なサイズでありながら、机等に起立させた載置状態で、収容された筆記具を立たせるペンスタンドとして機能させることを考慮すると、例えば、底部の面積に対して側部の面積が遥かに大きい構成において、載置状態で転倒しにくい構成のものが求められていた。
【００１１】
本発明はこのような点に鑑みなされたもので、載置状態で転倒しにくい筒状収容具を提供することを目的とする。
【課題を解決するための手段】
【００１２】
請求項１に記載された筒状収容具は、開口部および底部を有し被収容物を収容可能な筒状の収容部と、この収容部の前記開口部を閉塞可能な蓋部とを具備する筒状収容具において、前記収容部の底部には、載置対象物に載置される載置部が設けられ、前記載置部は、前記載置対象物に載置された状態を保持する保持部材を有するものである。
【００１３】
請求項２に記載された筒状収容具は、請求項１記載の筒状収容具において、保持部材は、載置対象物に対して離脱可能に接着するものである。
【００１４】
請求項３に記載された筒状収容具は、請求項１または２記載の筒状収容具において、載置部は、収容部の底部に接続された接続部と、この接続部に接続され可撓性を有する可撓部と、前記接続部に対して前記可撓部を介して相対的に変位可能に接続され保持部材が取り付けられた基部とを有するものである。
【００１５】
請求項４に記載された筒状収容具は、請求項３記載の筒状収容具において、載置部は、可撓部のトルクを調整するためのトルク調整部を有するものである。
【００１６】
請求項５に記載された筒状収容具は、請求項３または４記載の筒状収容具において、接続部は、基部に対して変位可能に接続された中板部と、この中板部に一体に設けられ収容部の底部に固定して取り付けられた取付部とを有し、前記中板部は、嵌合孔を有し、前記基部は、嵌合孔内に移動可能に嵌挿された柱部と、その柱部が前記嵌合孔内に嵌挿された状態にて前記中板部との間で可撓部を保持するための可撓部保持部とを有するものである。
【００１７】
請求項６に記載された筒状収容具は、請求項５記載の筒状収容具において、載置部は、可撓部保持部と中板部との間の距離を調整する位置調整部を有するものである。
【００１８】
請求項７に記載された筒状収容具は、請求項１ないし６いずれか一記載の筒状収容具において、保持部材は、自己吸着性を有するものである。
【発明の効果】
【００１９】
本発明によれば、載置部が、載置対象物に載置された状態を保持する保持部材を有するため、載置状態で転倒しにくくできる。
【図面の簡単な説明】
【００２０】
【図１】本発明の一実施の形態に係る筒状収容具の構成を示す側面図である。
【図２】同上筒状収容具の持ち運び状態を示す側面図である。
【図３】同上筒状収容具における載置部の構成を示す断面図である。
【図４】同上筒状収容具の載置部において基部に対して接続部が変位し傾斜した状態を示す断面図である。
【発明を実施するための形態】
【００２１】
以下、本発明の一実施の形態の構成について図面を参照しながら詳細に説明する。
【００２２】
図１において、１はペンケースとして利用できる筒状収容具であり、この筒状収容具１は、例えば筆記具等の被収容物２を収容可能な筒状の収容部３と、この収容部３に着脱可能に取り付けられる蓋部４とを備えている。
【００２３】
収容部３は、軸方向の一端部に位置する開口部５と、軸方向の他端部に位置する底部６とを有する有底円筒状の収容部本体７を有し、この収容部本体７の底部６側には、載置部８が設けられている。
【００２４】
そして、筒状収容具１は、載置部８を例えば机等の載置対象物に載置することで、図１に示すような起立するように載置された載置状態となり、この載置状態にて蓋部４を収容部３から取り外すことで、例えばペンスタンドとして利用できる。
【００２５】
また、筒状収容具１は、図２に示すように、蓋部４を収容部３に取り付けて開口部５を閉塞することで、例えば鞄等に収納して持ち運び可能な持ち運び状態となる。
【００２６】
収容部本体７は、開口部５側である軸方向の一端部の外周面に設けられ蓋部４が着脱可能に装着される装着部１１を有している。
【００２７】
この装着部１１は、レール状の係合部１２と、その係合部１２の奥側に設けられた係止部１３とを有している。
【００２８】
図３に示すように、載置部８は、収容部本体７の底部６に接続された接続部１４と、この接続部１４に接続された基部１５と、基部１５に取り付けられた保持部材１６とを有している。
【００２９】
接続部１４は、基部１５に対して変位可能に接続された中板部１７と、この中板部１７の外側縁部から一体に立設された取付部１８とを有している。
【００３０】
中板部１７は、中心に嵌合孔２１が設けられた円板状部材であり、載置部８が収容部本体７に取り付けられた状態において、底部６の下端面から離間して配置されている。
【００３１】
取付部１８は、内径が収容部本体７の底部６の外径と略同一であり、底部６の外側に嵌合可能である。すなわち、取付部１８が底部６に嵌合されることで、接続部１４が収容部本体７の底部６に固定して取り付けられる。
【００３２】
基部１５は、保持部材１６が固定して取り付けられた基板部２２と、この基板部２２における保持部材１６とは反対側の中心部から立設された柱部２３と、この柱部２３の先端部に設けられ側方へ突出するフランジ状の可撓部保持部２４とを有している。
【００３３】
そして、基部１５の柱部２３が取付部１８の嵌合孔２１に摺動可能に嵌挿されることで、取付部１８と基部１５とが互いに変位可能に接続される。
【００３４】
また、このように基部１５と取付部１８とが接続された状態において、可撓部保持部２４と中板部１７との間に位置するように柱部２３の周囲に、例えばコイルばね等の可撓性を有する弾性部材である可撓部２５が取り付けられている。すなわち、載置部８は、基部１５が接続部１４に対して可撓部２５を介して相対的に変位可能に接続されている。より具体的には、可撓部２５は通常時には可撓部保持部２４と中板部１７とが離間する方向へ付勢しており、筒状収容具１に例えば軸方向の交差方向である横方向への外力が加わることで、可撓部２５が当該横方向に対応する方向に撓んで、可撓部保持部２４に中板部１７の一部が接近して両者の位置関係が変化し、基部１５に対して接続部１４が変位する。また、このような基部１５に対する接続部１４の変位に伴って、図４に示すように、接続部１４に固定して接続された収容部本体７が基部１５に対して揺動するように傾斜する。
【００３５】
基部１５に取り付けられた保持部材１６は、載置部８が載置対象物に載置された状態において載置対象物に接触する載置面となり、載置対象物に離脱可能に接着して載置状態を保持する。
【００３６】
このような保持部材１６は、例えばポリウレタンエラストマー等のように、自己吸着性を有する合成樹脂等にて形成されることが好ましい。なお、保持部材１６は、載置部８の載置状態を保持できる構成を実現できるのであれば、例えば吸盤や載置対象物に対する摩擦力が高い材料により形成されてもよく、また、載置対象物が金属であることを前提とするなら、磁石により形成されてもよい。
【００３７】
載置部８には、接続部１４に対して回動可能に接続されたカバー部２６が設けられている。このカバー部２６は、ヒンジ部２７を介して接続部１４に回動可能に取り付けられている。そして、カバー部２６は、ヒンジ部２７を中心に回動することで、基部１５における載置面を選択的に被覆可能である。すなわち、カバー部２６がヒンジ部２７を中心にして、一方向である基部１５へ接近する方向へ回動することで基部１５における載置面である保持部材１６が被覆され、他方向である基部１５から離間する方向へ回動することでカバー部２６による被覆が解除され、保持部材１６が露出した状態となる。
【００３８】
ヒンジ部２７は、載置部８の接続部１４に回転可能に軸支された第１のシャフト２８と、カバー部２６に回転可能に軸支された第２のシャフト２９とを有している。すなわち、カバー部２６は、第１のシャフト２８および第２のシャフト２９のそれぞれを起点として、載置部８に対し２段階に回動可能である。
【００３９】
また、カバー部２６における保持部材１６を被覆する面とは反対側の面の縁部には、蓋部４を係合可能な図示しない係合部が設けられている。そして、図１に示す載置状態において、カバー部２６上に蓋部４を積み重ねるようにして、カバー部２６の係合部に蓋部４の縁部を係合可能である。
【００４０】
蓋部４は、軸方向の一端側が開口され、軸方向の他端側の天井部が閉塞された有頭円筒状の蓋部本体３１を有し、この蓋部本体３１における天井部の上側には副蓋部３２が回動可能に取り付けられている。
【００４１】
蓋部本体３１は、開口された軸方向の一端部の内周面に、収容部本体７の装着部１１における係合部１２に係合可能な突起状の図示しない被係合部が設けられている。
【００４２】
そして、収容部本体７の装着部１１を蓋部４内に挿入するようにして、蓋部４の被係合部が、収容部本体７の係合部１２と係合し、係止部１３によって係止されることで、蓋部４によって収容部３の開口部５を閉塞された状態が維持される。
【００４３】
また、蓋部本体３１の天井部は、天面部３３の縁部から上方に周壁３４が立設されており、これら天面部３３の上側面と周壁３４とで囲まれた空間によって、例えば付箋紙や消しゴムのような比較的小型の文房具等を収容可能な副収容部３５が構成される。
【００４４】
さらに、天井部に回動可能に設けられた副蓋部３２によって、副収容部３５が開閉される。
【００４５】
次に、上記一実施の形態の作用および効果を説明する。
【００４６】
筒状収容具１は、図２に示すように収容部３に蓋部４を取り付けた状態で持ち運び可能である。
【００４７】
このような持ち運び状態から、机等の載置対象物上でペンスタンドとして使用する際には、収容部３に対して蓋部４を回動させることで収容部本体７の係止部１３と蓋部本体３１の被係合部の係止を解除し、係止を解除した状態で軸方向に互いに離間させるように引っ張ることで収容部本体７の係合部１２と蓋部本体３１の被係合部との係合を解除して、収容部３から蓋部４を取り外す。
【００４８】
また、載置部８におけるカバー部２６を回動させて保持部材１６を露出させ、その保持部材１６を載置対象物に接着させて載置する。
【００４９】
この載置状態にて蓋部４を収容部３から取り外すことでペンスタンドとして利用できる起立状態となり、このような起立状態では、載置対象物表面に保持部材１６が接着することで、筒状収容具１が起立するように載置された載置状態が保持される。さらに、カバー部２６の係合部に蓋部４を係合させるとともに、蓋部４の副蓋部３２を蓋部本体３１に対して回動させて副収容部３５を開放することで、図１に示すようにペンスタンドと副収容部３５とを近接させて利用することができる。
【００５０】
そのため、例えば収容部３に収容された被収容物２を取り出す際や被収容物２を収容部３に収容する際等に、使用者の手指等が収容部本体７に接触して収容部３に横方向の力が作用しても、載置状態の筒状収容具１が保持部材１６の保持作用によって転倒しにくくなる。したがって、例えば、収容部本体７の開口部５の直径が被収容物の全長より短く、底面の面積に対して側面の面積が遥かに大きい細長形状の筒状収容具１であっても、載置状態において転倒しにくくできる。
【００５１】
特に、保持部材１６が載置対象物に対して離脱可能に接着する構成であると、起立状態の安定性を向上できるとともに、必要に応じて載置状態を解除して持ち運び状態にしやすい。
【００５２】
載置部８は、基部１５が接続部１４に対して可撓部２５を介して相対的に変位可能であることにより、例えば、使用者の手指等が接触する等して、通常であれば収容部本体７が所定角度よりも傾斜して保持部材１６が載置対象物から離脱される場合であっても、その所定の傾斜角度に至る前に、接続部１４が基部１５（保持部材１６）に対して相対的に変位する。そのため、筒状収容具１が載置部８を中心に揺動するように傾斜するだけで、載置状態が解除されにくく、筒状収容具１の転倒をより効果的に防止できる。
【００５３】
保持部材１６は、自己吸着性を有することにより、より安定して載置状態を保持できる。また、例えば保持部材１６が吸盤で構成された場合には、載置対象物の表面に凹凸がある場合に適切に吸着できない可能性があるが、ポリウレタンエラストマーのような自己吸着性を有する合成樹脂で保持部材１６が構成されることで、載置対象物の表面に凹凸があっても効果的に吸着して載置状態を保持できる。
【００５４】
載置部８は、選択的に保持部材１６を被覆可能なカバー部２６を有することにより、載置対象物に載置しない場合に保持部材１６をカバー部２６で被覆でき、保持部材１６に埃等が付着することによる保持力の低下を防止できる。
【００５５】
ヒンジ部２７が第１のシャフト２８および第２のシャフト２９を有し、カバー部２６が２段階で回動可能であることにより、載置状態において、載置対象物にカバー部２６が干渉して保持部材１６の保持力が低下することを防止できる。
【００５６】
また、カバー部２６が副収容部３５を有することにより、例えば付箋や消しゴム等のように、収容部３に収容された被収容物２とともに使用される比較的小型の文房具等を収容でき、使い勝手を向上できる。
【００５７】
なお、上記一実施の形態では、ペンケースとして利用できる筒状収容具１に載置部８を適用した構成としたが、このような構成には限定されず、他の筒状収容具に適用してもよい。
【００５８】
載置部８は、基部１５が接続部１４に対して可撓部２５を介して相対的に変位可能な構成としたが、このような構成には限定されず、保持部材１６によって載置状態を保持できる構成であればその構成を適宜変更できる。
【００５９】
また、基部１５が接続部１４に対して可撓部２５を介して相対的に変位可能な構成の場合には、可撓部２５のトルク（例えば、変位に対する強度や変位の幅等）を調整するトルク調整部が設けられた構成にしてもよい。
【００６０】
さらに、基部１５は、中板部１７と柱部２３と可撓部保持部２４とが一体に形成された構成としたがこのような構成には限定されず、例えば中板部１７と可撓部保持部２４とが接離可能で、例えば螺子等を用いその螺着量等によって中板部１７と可撓部保持部２４との距離を調整可能な位置調整部を有する構成にしてもよい。この構成によれば、中板部１７と可撓部保持部２４との距離をより短く調整することで、可撓部２５が収縮されて横方向へ変形しにくくいわゆる動きが硬い状態となり、中板部１７と可撓部保持部２４との距離をより長く調整することで横方向へ変形しやすくいわゆる動きが柔らかい状態となる。
【００６１】
なお、可撓部２５は、コイルばねによって形成された構成としたが、このような構成には限定されず、可撓性を有していれば合成樹脂等によって適宜形成でき、その形状も適宜設計できる。
【符号の説明】
【００６２】
１    筒状収容具
２    被収容物
３    収容部
４    蓋部
５    開口部
６    底部
８    載置部
１４  接続部
１５  基部
１６  保持部材
１７  中板部
１８  取付部
２１  嵌合孔
２３  柱部
２４  可撓部保持部
２５  可撓部
【図１】
2020110306.tif 000003
【図２】
2020110306.tif 000004
【図３】
2020110306.tif 000005
【図４】
2020110306.tif 000006